(57)【特許請求の範囲】
【請求項１】
移動可能に配設された少なくとも１つの支持部材(１０１)を有する装着ユニット(１００)を具備する、再封止可能な開口装置(２)を柔軟性のあるパッケージ(１)に装着するための装置であって、
前記少なくとも１つの支持部材(１０１)は、取り出し位置と装着位置との間で移動可能であり、又、
前記少なくとも１つの支持部材(１０１)は、前記装着位置で、前記支持部材(１０１)と柔軟性のあるパッケージ(１)との間の相対的移動により、柔軟性のあるパッケージ(１)の適用領域(８)に開口装置(２)を装着するように配置されている、装置において、
この装置は、更に、当接体(１１３)と、ナイフ装置(１１２)とを具備し、
前記少なくとも１つの支持部材(１０１)は、前記取り出し位置で、支持部材と当接体との間に配設されている、互いに相互接続された複数の未完成の開口装置のウェブ(１２)と係合するように、前記当接体(１１３)に向かって相対的に移動するように配設されており、又、
前記ナイフ装置(１１２)は、前記支持部材(１０１)が前記ウェブ(１２)と係合している間に、開口装置(２)を切離するように、支持部材(１０１)及び当接体(１１３)と共働するように配設され、ウェブ(１２)と支持部材(１０１)の係合はパンチ係合であることを特徴とする装置。
【請求項２】
前記ナイフ装置(１１２)は、前記当接体(１１３)に配設されている請求項１に記載された装置。
【請求項３】
前記ナイフ装置(１１２)は、前記支持部材(１０１)に配設されている請求項１または２に記載された装置。
【請求項４】
前記装着ユニット(１００)は、回転可能に配置され、又、前記少なくとも１つの支持部材(１０１)は、装着ユニット(１００)の回転により前記取り出し位置と装着位置との間で移動可能である請求項１乃至３のいずれか１項に記載された装置。
【請求項５】
加熱位置に配設された第１の加熱ユニット(１０７)を更に具備し、又、前記少なくとも１つの支持部材(１０１)は、前記取り出し位置から装着位置への移動の間に、前記加熱位置を通過し、そして、前記第１の加熱ユニット(１０７)は、加熱により、開口装置(２)の接着層(１７)の活性化をするように配設されている、請求項１乃至４のいずれか１項に記載された装置。
【請求項６】
前記第１の加熱ユニット(１０７)は、接触加熱により前記接着層(１７)を活性化するように配設される係合面(１０８)を有している請求項５に記載された装置。
【請求項７】
前記係合面は、所定の形状に形成されている請求項６に記載された装置。
【請求項８】
前記柔軟性のあるパッケージ(１)の適用領域(８)を予加熱するための第２の加熱ユニット(１０９)を具備している請求項１乃至７のいずれか１項に記載された装置。
【請求項９】
前記第２の加熱ユニット(１０９)は、放射熱により前記適用領域(８)を予加熱するように配設されている請求項８に記載された装置。
【請求項１０】
前記少なくとも１つの支持部材(１０１)は、開口装置(２)の突出部(１３)を受け入れるように配設された凹所(１０５)を備えている支持面(１０４)を有している請求項１乃至９のいずれか１項に記載された装置。
【請求項１１】
前記凹所(１０５)内に、第１の位置と、ピンが、凹所(１０５)の中に受け入れられた突出部(１３)と締り係合する第２の位置との間で移動可能に配設されたピン(１１０)を更に具備している請求項１０に記載された装置。
【請求項１２】
再封止可能な開口装置(２)を柔軟性のあるパッケージ(１)に装着するための方法であって、
互いに相互接続された複数の未完成の開口装置のウェブ(１２)を準備することと、
支持部材と当接体との間に配設されている、互いに相互接続された複数の未完成の開口装置のウェブ(１２)と係合するように、前記当接体(１１３)に向かう装着ユニット(１００)の支持部材(１０１)の相対的な移動により開口装置(２)を切除し取り出すことと、
前記開口装置(２)を柔軟性のあるパッケージ(１)の適用領域(８)に装着することとを具備し、
前記開口装置(２)は、ウェブ(１２)との係合の間に、前記支持部材(１０１)と当接体(１１３)と共働するナイフ装置(１１２)によって切除されるものであり、前記開口装置（２）は、パンチ係合により前記ウェブ(１２)と係合する前記支持部材(１０１)によって切除される、方法。
【請求項１３】
前記開口装置(２)の接着層(１７)を、開口装置(２)の装着の前に接触加熱することにより活性化させることを更に具備している請求項１２に記載された方法。
【請求項１４】
前記接着層(１７)の活性化は、接着層(１７)を第１の加熱ユニット(１０７)の、成形された係合面(１０８)と係合させることを含んでいる請求項１３に記載された方法。
【請求項１５】
開口装置(２)の装着の前に、パッケージ(１)の適用領域(８)を予加熱することを更に具備する請求項１２乃至１４のいずれか１項に記載された方法。
【発明の詳細な説明】
【技術分野】
【０００１】
本願発明は、柔軟性のあるパッケージに開口装置を装着するための装置及び方法に関している。
【背景技術】
【０００２】
フイルム材から製造された柔軟性のあるパッケージ又はパッケージ内に詰められる多数の異なる物品がある。
【０００３】
これらパッケージは、クリスプ、ピーナッツ、又はコーヒ豆のような。この場合には、所謂、枕形状をしている特別な物品を収容し得る。
【０００４】
代わって、パッケージは、ミルク、水、ワインのような液体状の物品を収容し得、これらは、一般的には、所謂、自立袋形式であり、又、これらは、折りたたみ可能なパッケージと称されている。自立袋形式のパッケージは、勿論、又、特別な物品のためにも使用され得る。柔軟性の形式のパッケージ又はコンテナは、エンドタブ又は角部の除去により、一般的に、開成される。代わって、これらは、使用者がパッケージの側壁から引き裂いてパッケージの上横シールを破くことにより、開成され得る。
これら柔軟性のあるパッケージにとって、開成された後に、パッケージを再封止できるようにする必要性が一般的にはある。パッケージを再封止することにより、パッケージの内容物の意図しないこぼれのリスク減じられ、又、再封止は、内容物の貯蔵寿命に対して、度々、効果的である。
【０００５】
この再封止は、クリップ、ねじキャップ、ゴムバンド、テープ、等の補助により実現され得る。それにも拘わらず、安価で、信頼性があり、使用者に馴染み易い開口装置を提供することが難しいことが判っている。
【０００６】
これら問題点を考慮した最近の提案された開口装置は、WO21012/062806により知られている。ここに開示の開口装置は、柔軟性のあるパッケージの一方の側壁に、これの開口部の所で装着される薄い壁の本体を有している。
【０００７】
この薄い壁の本体は、第１のヒンジ接続部を有し、この接続部を中心として前記本体は、パッケージを開成するために、折られ得る。前記第１のヒンジ接続部に交差して延びている第２のヒンジ接続部が、設けられており、この第２のヒンジを中心として折ることにより、パッケージは、再封止され得る。前記本体は、更に、前記第２のヒンジの所で折られることにより、本体の解放可能なロックのためのロック手段を有している。
【０００８】
US6994470は、スナップ閉じ部をパッケージに装着させるための装置を開示している。この装置は、所定長の閉じストリップを切断するためのカッターと、所定長の閉じストリップを受けると共に、これらストリップをパッケージの両側壁に装着させるためのキャリアヘッドとを有している。
【発明の概要】
【０００９】
上記観点から、本願発明の１つの目的は、再封止可能な装置を柔軟性のあるパッケージに装着させるための装置と方法とを提供することである。
【００１０】
又、本願発明の１つの目的は、薄い壁の本体の形態の再封止可能な装置を柔軟性のあるパッケージに装着させるための装置と方法とを提供することである。
【００１１】
本願発明に係われば、請求項１に記載された特別な形態を有する装置と、請求項１３の特別の形態を有する装置とが、提供される。種々の実施の形態は、夫々メインの請求項に従属している従属請求項に見られる。
【００１２】
詳細には、本願発明に係われば、再封止可能な開口装置を柔軟性のあるパッケージに装着するための装置が提供され、この装置は、移動可能に配設された少なくとも１つの支持部材を備えた装着ユニットを有し、前記少なくとも１つの支持部材は、取り出し位置と装着位置との間で移動可能である。前記少なくとも１つの支持部材は、前記装着位置で、前記支持部材と柔軟性のあるパッケージとの間の相対的移動により、柔軟性のあるパッケージの適用領域に開口装置を装着するように配置されている。この装置は、更に、当接体と、ナイフ装置とを具備し、前記少なくとも１つの支持部材は、前記取り出し位置で、支持部材と当接体との間に配設されている、互いに相互接続された複数の未完成の開口装置のウェブと係合するように、前記当接体に向かって相対的に移動するように配設されている。前記ナイフ装置は、前記支持部材が前記ウェブと係合している間に、開口装置を切離するように、支持部材及び当接体と共働するように配設されている。
【００１３】
かくして、柔軟性のあるパッケージへの再封止可能な装置の装着のための装置が提供される。
【００１４】
本願発明の装置は、互いに接続された未完成の開口装置のウェブから開口装置を切除して取り出すように構成されおり、前記ウェブは、薄い壁の本体の形態の開口装置に適している。
【００１５】
支持部材がウェブと係合している間での支持部材と当接体とナイフ装置との共働による開口装置の切除しての取り出しは、開口装置が取り出された前後での開口装置の制御され且つ良く規定された取扱いを確実にする。
【００１６】
本願発明の一実施の形態に係われば、前記少なくとも１つの支持部材は、前記取り出し位置で、前記互いに相互接続された複数の未完成の開口装置のウェブとパンチ係合することにより、前記開口装置を形成するように配設され得る。打ち抜き係合は、何度も繰り返され得る開口装置の、迅速で信頼性のある形成を確実にしている。
【００１７】
本願発明の他の実施の形態に係われば、前記装着ユニットは、回転可能に配置され、又、前記少なくとも１つの支持部材は、装着ユニットの回転により前記取り出し位置と装着位置との間で移動可能であり得る。かくして、支持部材は、取り出し位置と装着位置との間で効率よく移動され得る。
【００１８】
本願発明の更に他の実施の形態に係われば、この装置は、加熱位置に配設された第１の加熱ユニットを更に具備し得、前記少なくとも１つの支持部材は、前記取り出し位置から装着位置への移動の間に、前記加熱位置を通過し、そして、前記第１の加熱ユニットは、加熱により、開口装置の接着層の活性化をするように配設され得る。かくして、支持部材により支持されている開口装置は、取り出し位置から装着位置に自身で向けられ得、かくしても開口装置の接着層を活性化するように配置されている加熱ユニットを通過する。本願発明の装置は、粘着性の無い適用表面を備えた開口装置が搬送され得、接着層は、柔軟性のあるパッケージに装着される直前にのみ活性化される、即ち、粘着性を有する。
【００１９】
前記第１の加熱ユニットは、接触加熱により接着層を活性化させるように配設された加熱プレートを有している。かくして、加熱ユニットから接着層への制御された熱伝導がなされ得る。
【００２０】
前記加熱プレートは、加工された係合面を有している。起伏がある又は波の形状である面のように加工された係合面は、加熱プレートの係合面と係合することにより活性化されたときに、対応した外形の接着層に、もとの平坦な接着層を再成形するように使用され得る。成形されかつ活性化された接着層は、これに伝導された熱を蓄積するための改善されたキャパシティを有し得、かくして、長時間活性状態を維持し得る。
【００２１】
本願発明の更に他の実施の形態に係われば、この装置は、柔軟性のあるパッケージの適用領域を予加熱するための第２の加熱ユニットを有し得る。前記適用領域を予加熱することにより、接着層と適用領域との間の温度差が減じられ得る。この減じられた温度差は、パッケージへの開口装置の装着を改善し得る。この第２の加熱ユニットは、放射により適用領域の予加熱のために配置され得る。
【００２２】
本願発明の他の実施の形態に係われば、前記少なくとも１つの支持部材は、開口装置の突出部を受け入れるように配設された凹所(recess)を備えている支持面を有し得る。前記支持部材は、取り出された開口部材を保持するための保持手段を有し得る。この保持装置は、前記凹所内に配設されたピンを更に有しており、このピンは、第１の位置と、ピンが、凹所の中に受け入れられた突出部と締り係合(lockingly engage)する第２の位置との間で移動可能である。
【００２３】
本願発明の他の態様に係われば、開口装置を柔軟性のあるパッケージに装着するための方法が提供される。この方法は、互いに相互接続された複数の未完成の開口装置のウェブを準備することと、装着ユニットの支持部材を、互いに相互接続された複数の未完成の開口装置のウェブに係合させることにより、前記開口装置を切除し取り出すことと、この開口装置を柔軟性のあるパッケージ(１)の適用領域に装着することとを含んでいる。
【００２４】
かくして、開口装置を柔軟性のあるパッケージに装着するための方法が提供される。前記開口装置は、薄い壁形式のもので有り得る。支持部材とウェブとの係合により開口装置を切除し取り出すことは、開口装置が取り出される前と取り出された後とで、制御され且つ良く規定された開口装置の取り扱いを果たさせる。
【００２５】
本願発明の一実施の形態に係われば、前記開口装置は、打ち抜き係合(punching engagement)により形成され得る。
【００２６】
本願発明の他の実施の形態に係われば、この方法は、前記開口装置の接着層を、開口装置の装着の前に接触加熱することにより活性化させることを、更に含み得る。前記接着層の活性化は、接着層を成形された係合面(profiled engagement surface)と係合させることを含み得る。
【００２７】
更に他の実施の形態に係われば、この方法は、開口装置の装着の前に、前記適用領域を予加熱することを更に含み得る。
【００２８】
本願発明の装置に関連付けられて明細書で説明された効果は、本願発明の方法にも関連した部分について適用され得る。
【００２９】
一般的に、請求項で使用された全ての用語は、他の規定が特に無い限り、この技術分野での通常の意味に従って解釈されるべきである。１つの／前記(a/an/the)(部材、装置、部品、手段、工程、等)に対する全ての参照は、他の規定が特に無い限り、前記部材、装置、部品、手段、工程、等に対する参照として、オープンに解釈されるべきである。ここに記載されている方法の複数の工程は、他の規定が特に無い限り、正確に記載された順序で行われる必要は、無い。
【００３０】
本願発明の上記及び追加の目的、態様、並びに、効果は、同じ参照符号が、類似の部品に対して使用されている添付の図面を参照した、本願発明の好ましい実施の形態の以下の説明及び限定されない詳細な記載により、良く理解されるであろう。
【図面の簡単な説明】
【００３１】
【図１】図１は、薄い壁の形式の開口装置が設けられた柔軟性のあるパッケージの斜視図を示している。
【図２ａ】図２ａは、パッケージが開成された後の、図１に示されているパッケージの開口部分の部分断面図を示している。
【図２ｂ】図２ｂは、開口装置が開成された位置にある、図１に示されているパッケージの開口部分の部分断面図を示している。
【図２ｃ】図２ｃは、開口装置が再封止された位置にある、図１に示されているパッケージの開口部分の部分断面図を示している。
【図３】図３は、未完成で互いに接続されている複数の開口装置のウェブの斜視図を示している。
【図４】図４は、本願発明に係わる、柔軟性のあるパッケージへの開口装置の装着のための装置の装着ユニットの概略的な斜視図を示している。
【図５ａ】図５ａは、操作の間での、柔軟性のあるパッケージへの開口装置の装着のための本願発明の装置の概略的な斜視図を示している。
【図５ｂ】図５ｂは、操作の間での、柔軟性のあるパッケージへの開口装置の装着のための本願発明の装置の概略的な斜視図を示している。
【図５ｃ】図５ｃは、操作の間での、柔軟性のあるパッケージへの開口装置の装着のための本願発明の装置の概略的な斜視図を示している。
【図６ａ】図６ａは、操作の間での、本願発明の装置の一実施の形態の概略的な断面図を示している。
【図６ｂ】図６ｂは、操作の間での、本願発明の装置の一実施の形態の概略的な断面図を示している。
【図６ｃ】図６ｃは、操作の間での、本願発明の装置の一実施の形態の概略的な断面図を示している。
【図６ｄ】図６ｄは、操作の間での、本願発明の装置の一実施の形態の概略的な断面図を示している。
【図６ｅ】図６ｅは、操作の間での、本願発明の装置の一実施の形態の概略的な断面図を示している。
【図６ｆ】図６ｆは、操作の間での、本願発明の装置の一実施の形態の概略的な断面図を示している。
【図６ｇ】図６ｇ、操作の間での、本願発明の装置の一実施の形態の概略的な断面図を示している。
【図６ｈ】図６ｈは、操作の間での、本願発明の装置の一実施の形態の概略的な断面図を示している。
【図６ｉ】図６ｉは、操作の間での、本願発明の装置の一実施の形態の概略的な断面図を示している。
【図６ｊ】図６ｊは、操作の間での、本願発明の装置の一実施の形態の概略的な断面図を示している。
【図６ｋ】図６ｋは、操作の間での、本願発明の装置の一実施の形態の概略的な断面図を示している。
【発明を実施するための形態】
【００３２】
本願発明は、再封止可能な開口装置を柔軟性のあるパッケージに装着するための装置と方法とに関している。
【００３３】
柔軟性のあるパッケージは、材料が曲がり易いという点で柔軟性のある材料でできているパッケージ又はコンテナを意味している。かくして、この種の柔軟性のあるパッケージは、単一層又は多層のフイルム材により形成され得る。このフイルム材は、ＰＥ、ＰＰ、ＰＥＴ、ＥＶＯＨ、及び／又は、アルミニウムホイルのようなプスチックの層を有し得る。ＰＥ、又は、ＰＰのようなプラスチックの層は、ミネラル物質のような充填剤を更に含み得る。
【００３４】
再封止可能な開口装置は、開成された柔軟性のあるパッケージの再封止とこれに続いた再開成とが可能な装置を意味している。
【００３５】
本願発明は、柔軟性のあるパッケージの側壁に、これの開口部の所で装着される薄い壁の本体の形態での開口装置に特に適している。
【００３６】
薄い壁の本体の形態での開口装置２が設けられた柔軟性のあるパッケージ１が、参照される図１に示されている。
【００３７】
この柔軟性のあるパッケージ１は、自立袋形式であり、２つの側壁３と１つの底壁４とを有している。このパッケージは、図示されているように、気体が充填されたハンドルを有している。
【００３８】
前記開口装置２は、パッケージ１の開口部５の所で、パッケージ１に与えられている。この開口部５は、パッケージの上側端部の所で、柔軟性のあるパッケージ１の２つの互いに対向している側壁３により形成されている。
【００３９】
柔軟性のあるパッケージ１の開口部５は、パッケージ１の開成されていない状態で、エンドタブ６を有している。このエンドタブは、最初の開成のときに、分離ライン７に沿った分離により、パッケージ１から切除される。パッケージ１は、図１では、開成されていない状態で示されている。
【００４０】
前記開口装置２は、前記エンドタブ６に近接した対向側壁３の一方の開口部５の適用領域８に配置されている。より詳しくは、この開口装置は、前記分離ライン７に平行で近接するように、分離ラインを挟んでエンドタブ６とは反対側に配置されている。
【００４１】
前記エンドタブ６の切除によるパッケージ１の最初の開成の後に、パッケージ１は、開成され、又開口装置２により閉成され得る。
【００４２】
図２ａに、エンドタブ６の切除が示され、図２ｂ及び２ｃに、パッケージ１の開成及び閉成が夫々示されている。更に詳細には、パッケージ１を開成するために、開口装置２は、横方向のヒンジ接続部９を中心として折られ、又、パッケージを閉成もしくは再封止するために、開口装置２は、長手方向のヒンジ接続部１０を中心として折られ、この折られた位置にロック手段１１によりロックされる。
【００４３】
本願発明に係われば、柔軟性のあるパッケージに装着される開口装置は、未完成で互いに接続されている開口装置のウェブにより与えられる。このようなウェブ１２が、図３に示されている。
【００４４】
前記ウェブは、ロック手段１１と同様に、横方向及び縦方向ヒンジ接続部９，１０の連続体が設けられている。図示されている実施の形態では、単一の未完成の開口装置は、１つの長手方向ヒンジ接続部１０と、この長手方向ヒンジ接続部１０と交差している１つの横方向ヒンジ接続部９と、１つのロック手段１１とを有している。このロック手段は、２対の雄部材１４と雌部材１５とを形成している突出部１３を、長手方向ヒンジ接続部１０を中心として折ることにより、１つの雄部材１４が、１つの雌部材１５と係合するように、有している。
【００４５】
前記開口装置は、溶接操作によるか接着剤により柔軟性のあるパッケージに装着され得る。
【００４６】
前記接着剤は、開口装置の適用の直前に、開口装置、及び／又は、パッケージの適用領域に与えられ得る。代わって、開口装置には、これの適用表面に活性接着剤が与えられ得る。この接着剤は、非活性状態では、接着性を有していない種類であり得る。そして、この接着剤は、加熱により活性にされ得る。
【００４７】
参照される図４には、柔軟性のあるパッケージ１に再封止可能な開口装置２を装着させるための本願発明の装置のための装着ユニット１００が、概略的に示されている。
【００４８】
前記装着ユニット１００は、支持構造体により支持されている支持部材１０１を有している。かくして、図では、単一の支持部材１０１は、４つの異なる位置で示されている。勿論、装着ユニットの支持構造体は、２つの支持部材のように、複数の支持部材を支持することが可能である。このような場合には、複数の支持部材は、支持構造体の両側に配置され得る。代わって、支持構造体は、各側に沿って１つの支持部材を、即ち、合計で４つの支持部材を支持し得る。
【００４９】
この装着ユニット１００は、支持部材１０１が、異なる位置間に示されるように、軸１０３を中心として回転可能に配設されている。
【００５０】
前記異なる位置は、取り出し位置に対応している第１の位置Ａと、加熱位置に対応している第２の位置Ｂと、装着位置に対応している第３の位置Ｃと、遊び位置に対応している第４の位置Ｄとである。
【００５１】
前記支持部材１０１は、支持面１０４を有しており、図示された実施の形態では、この支持面１０４には、前記ロック手段１３を形成している、開口装置２の突出部１３を受け入れるように配置された凹所１０５が設けられている。
【００５２】
前記支持部材１０１は、更に、１０６で示されており、取り出された開口装置２を保持するように配置されている保持手段を有している。この保持手段１０６は、図に示されているように、支持部材１０１の支持面１０４に形成されている複数の凹所１０５の少なくとも１つに設けられている。
【００５３】
本願発明の装置の装着ユニット１００の動作が、図５ａ乃至図５ｃを参照して以下に説明される。
【００５４】
図５ａにて、装着ユニット１００の支持部材が、位置Ａ、即ち、取り出し位置に位置されている。
【００５５】
未完成で相互に接続された開口装置のウェブ１２が、図示されていない搬送装置により、取り出される１つの未完成の開口装置を支持部材１０１にアラインメントさせるために、傾斜された向きで取り出し位置に搬送される。
【００５６】
この取り出し位置で、支持部材１０１は、１つの開口装置２を取り出するために、当接体(図示されていない)の方向に、当接体と支持部材との間に位置されたウェブ１２と係合するように、相対移動により移動される。前記ウェブ１２との係合を果たすために、支持部材１０１が、当接体に向かって移動可能である、及び／又は、当接体が、支持部材１０１に向かって移動可能である。
【００５７】
本願発明の装置は、更に、ウェブ１２から開口装置２を切り取るために、支持部材１０１及び当接体と共働するためのナイフ装置(図示されていない)を有している。かくして、開口装置２は、パンチ係合により切り取られ得る。図から明らかなように、開口装置は、１つのウェブ１２が、一連の複数の孔１６を有するように、ウェブ１２から打ち抜かれる。かくして、ウェブ１２のこのような一体性は、残った材料の回収を効率よくするように、維持されている。図面では、支持部材１０１は、ウェブ１２からの開口装置２の非係合を明確に示すために、ウェブ１２を貫通するように示されている。
【００５８】
異なる方法が、開口装置が支持部材により取り出されながら、開口装置の形成のために存在していることが、理解される。例えば、開口装置は、開口装置のアウトラインを形成するように予め形成された孔に沿って引っ張られ得る。
【００５９】
前記支持部材１０１は、１０６で示されており、取り出された開口装置２を保持するように配置されている保持手段を有している。この保持手段１０６は、図に示されているように、支持部材１０１の支持面１０４に形成されている複数の凹所１０５の少なくとも１つに設けられている。
【００６０】
図５bでは、支持部材１０１は、軸１０３を中心とした装着ユニット１００の回動により、位置Ｂに、即ち、加熱位置に移動されている。
【００６１】
この加熱位置で、前記支持部材１０１と、この支持部材に支持されている開口装置２とは、図示されている実施の形態では本願発明の装置の一部を構成している第１の加熱ユニット１０７の前方に位置されている。図示されている実施の形態では、開口装置２には、これの適用面１８に、接着層１７が設けられており、又、前記第１の加熱ユニット１０７は、接触加熱により接着層１７を活性化するように位置されている。
【００６２】
この目的のために、前記第１の加熱ユニット１０７は、支持部材１０１と第１の加熱ユニット１０７との間の相対的な移動により開口装置２の接着層１７と係合又は当接するように位置されている係合面１０８を有している。
【００６３】
前記第１の加熱ユニット１０７の係合面１０８は、第１の加熱ユニット１０７の本体の中に設けられたダクト内に配置されている１又は複数の電気的加熱部材により加熱され得る。
【００６４】
前記係合面は、交換可能なように配置され得る。例えば、係合面１０８は、第１の加熱ユニットの本体から分かれた、第１の加熱ユニットの一部に設けられ得る。開口装置の接着層の活性化の時に、前記本体が、係合面を有する前記一部に押圧され、そして、係合面が接着層に押圧される。第１の加熱ユニットの本体から分かれた前記一部に係合面を設けることにより、係合面のメンテナンス又は交換を容易に可能としている。
【００６５】
前記第１の加熱ユニット１０７は、接着層１７への制御された熱伝導を果たしており、又、前記係合面１０８は、接着層１７が、係合面１０８に取着するのを防止するために、表面処理され得る。
【００６６】
前記係合面１０８は、平坦でも良いし、又、起伏がある又は波の形状である面のような外形を有していても良い。
【００６７】
起伏形状の面のような成形された外形の係合面１０８を使用することにより、最初は平坦な接着層１７を、係合面１０８の外形形状に対応した、外形の接着層１７に成形しなおすことが可能となっている。この結果、接着層の活性化の状態での、熱を溜める接着層１７のキャパシティは、改善され得、かくして、接着層１７が、柔軟性のあるパッケージ１への開口装置２の適用に関連して活性になることが、なされ得る。
【００６８】
図５cでは、支持部材１０１は、軸１０３を中心とした装着ユニット１００の連続した回動により、位置Ｃに、即ち、装着位置に移動されている。
【００６９】
この図から明らかなように、相互に接続された柔軟性のあるパッケージ１のウェブ１９が、設けられており、又、支持部材１０１に支持されている開口装置２が、１つの開口装置２が与えられようとしている１つの柔軟性のあるパッケージ１の前方に位置されている装着位置にある。詳述すると、パッケージ１の前記ウェブ１９は、開口装置２が与えられようとしているパッケージ１の適用領域８が、支持部材１０１とアラインメントされるように、装着位置に搬送されている。
【００７０】
柔軟性のあるパッケージ１への開口装置２の適用の改善された信頼性を得るために、本願発明の装置は、図示された実施の形態のように、更に、第２の加熱ユニット１０９を有し得る。
【００７１】
前記第２の加熱ユニット１０９は、パッケージ１の適用領域８の予加熱のために配設されている。図示されている実施の形態では、この第２の加熱ユニット１０９は、１つの柔軟性のあるパッケージ１が予加熱されている間に、下流の方に続いている柔軟性のあるパッケージ１に開口装置２が与えられるように、装着ユニット１００の上流に配設されている。
【００７２】
適用領域８の予加熱により、接着層１７と適用領域８との間の温度差は、パッケージ１への開口装置２の装着時には減じられている。減少された温度差は、パッケージへの開口装置の装着を改善し得る。
【００７３】
前記第２の加熱ユニット１０９は、放射により予加熱するように配設された加熱部材を有し得る。代わって、この第２の加熱ユニットは、接触加熱により適用領域８を予加熱するように配置され得る。
【００７４】
前記支持部材１０１は、これに支持されている開口装置２を柔軟性のあるパッケージ１の適用領域８に、支持部材１０１と柔軟性のあるパッケージ１との間の相対的な移動により、装着するように配設されている。開口装置２が、柔軟性のあるパッケージ１に押圧されると、保持手段１０６は、開口装置２を解放するように動作され、続いて、支持部材１０１と柔軟性のあるパッケージ１とは、分離されて、開口装置２を後で柔軟性のあるパッケージ１に装着された開口装置２をおいていく。
【００７５】
続いて、開口装置２は、次の開口装置２を形成かつ取り出すために、装着位置から取り出し位置に割り当てられ、即ち、戻される。この移動は、開口装置２が、位置Ｄ、即ち、遊び位置を通過するように、軸１０３を中心として装着ユニット１００が連続して回動することにより、なされ得る。代わって、装着ユニット１００は、反対方向に回動され、かくして、支持部材１０１が、位置Ｃを通過することにより、取り出し位置に移動される。
【００７６】
以下に、本願発明の装置の動作が、装着ユニット１００と、この装着ユニットに支持されている支持部材１０１とが、異なる位置にある断面図を示している図６a乃至６ｋを参照して詳細に説明される。
【００７７】
支持部材１０１は、軸１０３を中心として回転可能に配設された支持構造体１０２により支持されている。
【００７８】
支持部材１０１は、更に、支持構造体１０２により、支持部材１０１の支持面１０４に対して垂直な方向に往復移動可能である。支持構造体１０２は、空圧的又は電気的に制御される機構(図示されていない)によるような適切な方法で、支持部材１０１を移動させるように、配設され得る。
【００７９】
開口装置２のロック手段１１の雌部材１５を形成している突出部１３は、これら図から明らかである。詳細には、各雌部材１５は、開口装置２が、既に記載されたように、長手方向ヒンジ接続部を中心として折られたときに、スナップ適合機能により雄部材１４を受け入れる上側開口２０が設けられている突出部１３により形成されている。
【００８０】
これら図は、更に、取り出された開口装置２を保持するための保持手段１０６を示している。
【００８１】
図示された実施の形態で、前記保持手段１０６は、前記雌部材を受け入れるように、支持部材１０１の支持面１０４に設けられた穴１０５(recess)の各々の中に移動可能に配設されたピン１１０により形成されている。より詳細には、これらピン１１０は、遊び位置に対応している第１の位置から保持位置に対応している第２の位置へと移動可能である。各ピン１１０には、前記第２の位置に移動されたときに、しばりばめ(tight fit)で、関連した雌部材１５を受け入れるように、配設されているエンドキャビティ１１１が設けられている。
【００８２】
図６ａ乃至６ｄは、支持部材１０１が位置Ａ、即ち、取り出し位置にあるときの動作を開示している。
【００８３】
図６aに示されているように、相互に接続された未完成の開口装置のウェブ１２の一部を形成している未完成の開口装置２が、支持部材１０１とナイフ装置１１２との間に位置されている。かくして、この開口装置２は、前記取り出し位置で、装着ユニット１００の支持部材１０１の前方にアラインメントされている。
【００８４】
図示されている実施の形態では、前記ナイフ装置１１２は、当接体１１３を形成しており、この当接体に対して支持部材１０１が、移動される。かくして、ナイフ装置１１２は、当接体１１３と一体的に形成されている。当接体にナイフ装置を配設する他の方法が存在すること、及び、ナイフ装置が、当接体とは別れて形成され得ることは、理解され得る。
【００８５】
前記ナイフ装置１１２は、又、支持部材に配設され得る。
【００８６】
図６bでは、前記支持部材１０１は、支持構造体１０２により、当接体１１３とこの当接体と支持部材との間に位置されているウェブ１２とに向かって、矢印Ｐにより示されている方向に移動されている。この結果、支持部材１０１の支持面１０４は、ウェブ１２の反対側に設けられているナイフ装置１１２を押圧している。かくして、パンチ設備が、ウェブ１２の開口装置２を切断もしくはこれのアウトラインを切断するために構成されている。ナイフ装置１１２は、支持部材１０１とウェブ１２との係合の間に開口装置２を切除するように支持部材１０１及び当接体１１３と共働する。
【００８７】
図６cでは、保持手段１０６のピン１１０が、第１の位置、即ち、遊び位置から第２の位置、即ち、保持位置へと矢印Ｐ２により示されている方向に移動されている。明らかなように、開口装置２のロック手段１１の雌部材１５は、夫々ピン１１０の関連したエンドキャビティ１１１に受け入れられている。上述されているように、これらエンドキャビティ１１１は、しばりばめにより雌部材１５を受け入れるように構成されているので、このような保持動作は、開口装置２が、支持部材１０１に信頼性が高く装着されることを確実にしている。
【００８８】
前記保持手段１０６の動作は、空圧、水圧、電気、磁気の装置等によりなされ得る。
【００８９】
図６ｄでは、支持部材１０１が、支持構造体１０２により矢印Ｐ３で示されている方向に引込められる。この結果、開口装置２が取り出され、又、取り出された開口装置２によりウェブ１２に穴１６が残される。しかし、開口装置２は、残った材料の回収が容易なウェブの一体性が、維持されるように、打ち抜かれる。例えば、残ったものは、巻き取れ得、この巻物は、相互に接続され未完成の開口装置の新たなウェブのような、他の製品の製造のための原料材として使用され得る。
【００９０】
図６ｅ乃至６ｇは、支持部材１０１が、位置Ｂ、即ち、加熱位置にある動作を開示している。
【００９１】
図６ｅは、矢印Ｐ４に示されている方向に軸１０３を中心とし支持構造体１０２が回動されることによって加熱位置に移動された支持部材１０１とこの支持部材に支持されている開口装置２とを示している。この加熱位置では、開口装置２の適用面１８は、第１の加熱ユニット１０７の係合面１０８の前方に位置されている。
図６ｆでは、前記支持部材１０１は、支持構造体１０２によって第１の加熱ユニット１０７に向かって矢印Ｐ５により示されている方向に移動されている。この結果、開口装置２の適用面１８は、係合面１０８を押圧しており、開口装置２の適用面１８に設けられた接着層１７が活性化されている。前記係合面１０８は、図示された実施の形態では、平坦であるけれども、前述されたように、この係合面は、成形された形状を有し熱を蓄積するキャパシティが改善された活性接着層を形成するために、所定の外形を有するように形成され得る。
【００９２】
図６ｇでは、前記支持部材１０１は、支持構造体１０２により、第１の加熱ユニット１０７から矢印Ｐ６により示されている方向に引込められている。支持部材１０１は、１〜５msのような短い時間、図６ｇに示されている引込められた位置に静止され続け得る。この結果、支持部材１０１の引込めの間に形成されるかもしれない接着剤の糸を充分に冷やすことが可能になり、支持部材１０１の更なる移動の間に、この糸を切断し得る。
【００９３】
図６ｈ乃至６ｋは、支持部材１０１が位置Ｃ、即ち、装着位置にある動作を開示している。
【００９４】
図６ｈは、矢印Ｐ７に示されている方向に軸１０３を中心として回動されることにより、装着位置に移動された支持部材１０１とこの支持部材に支持されている開口装置２とを示している。この装着位置では、開口装置２と、これの活性接着層を有する適用面１８とは、柔軟性のあるパッケージ１の適用領域８の前方に位置されている。この適用領域８は、前述されたように、予加熱され得る。又、パッケージ１は、互いに接続されたパッケージのウェブに含まれ得る。
【００９５】
図６ｉでは、前記支持部材１０１は、矢印Ｐ８により示されている方向に、支持構造体１０２により柔軟性のあるパッケージ１に向かって移動されている。この結果、開口装置２の適用面１８は、柔軟性のあるパッケージ１の適用領域８に押圧されている。適用面１８上の接着層１７は、前の位置Ｂで予加熱されているので、開口装置２は、パッケージ１の適用領域８に接着するであろう。強制的な又は自然の冷却が、開口装置２を柔軟性のあるパッケージ１に強固に装着させるであろう。
【００９６】
ピン１１０を図６ｊに示され、矢印Ｐ９により示されているように、第１の位置へと戻すように移動させることにより、ピン１１０のエンドキャビティ１１１は、開口装置２の雌部材１５との係合が解除される。即ち、雌部材１５は、ピン１１０のエンドキャビティ１１１によりしばりばめから解放される。かくして、ピン１１０を第１の位置に移動させることにより、保持手段１０６は、開口装置２との保持を解除する。
【００９７】
図６ｋでは、前記支持部材１０１は、開口装置２が、柔軟性のあるパッケージ１に装着されたままで、支持構造体１０２により柔軟性のあるパッケージ１から矢印Ｐ１０により示されている方向に引き戻される。
【００９８】
図６ｌは、矢印Ｐ１１により示されている方向に軸１０３を中心として回動されることにより、位置Ｄ、即ち、遊び位置に移動された支持部材１０１を示している。
【００９９】
軸１０３を中心とした回動を続けることにより、支持部材１０１は、位置Ａに戻され、そして、動作のサイクルが、次の開口装置を次の柔軟性のあるパッケージに装着させるために、繰り返され得る。
【０１００】
本願発明は、図示された実施の形態に限定されないことは、判るであろう。
【０１０１】
かくして、相互に接続された未完成の開口装置のウェブの反対側で当接体に位置された、上述されたナイフ装置は、支持部材自身に支持されたナイフ装置と交換可能である。この場合には、支持部材とナイフ装置とは、パンチ係合により開口装置を打ち抜くために、ウェブが支持部材と当接体との間に位置された状態で当接体に押圧される。
【０１０２】
代わって、前記ナイフ装置は、ナイフ装置の切削エッジ相互が開口装置を切離するように互いに押圧され得るように、支持部材と当接体との両方に配設され得る。
【０１０３】
接触ヒータの形態の第１の加熱ユニットは、放熱ヒータ又は加熱空気ヒータに交換可能である。
【０１０４】
更に、前記開口装置は、接着層を有する必要は無い。この場合には、第１の加熱ユニットは、開口装置の装着の直前に、柔軟性のあるパッケージの適用領域にホットメルト接着剤を与えるホットメルト供給器に交換され得る。
【０１０５】
上述されたように、装着ユニットに、異なる位置で同時に動作する幾つかの支持部材を与えることは、可能である。
【０１０６】
本願発明の装置は、平行に動作する幾つかの装着ユニットを有し得る。例えば、本願発明の装置は、平行に配設され、互いに接続された開口装置の単一のウェブの複数の開口装置を装着させるように共働する３つの装着ユニットを有し得る。
【０１０７】
未完成で互いに接続された開口装置のウェブに含まれる開口装置は、上述された薄い本体の形式以外の形式のものでも良い。
【０１０８】
幾つかの変更及び変形が、添付の特許請求の範囲により独占的に規定されている本願発明の範囲内でなされ得る。
以下に、出願時の特許請求の範囲の記載事項を付記する。
［１］  移動可能に配設された少なくとも１つの支持部材(１０１)を有する装着ユニット(１００)を具備する、再封止可能な開口装置(２)を柔軟性のあるパッケージ(１)に装着するための装置であって、
前記少なくとも１つの支持部材(１０１)は、取り出し位置と装着位置との間で移動可能であり、又、
前記少なくとも１つの支持部材(１０１)は、前記装着位置で、前記支持部材(１０１)と柔軟性のあるパッケージ(１)との間の相対的移動により、柔軟性のあるパッケージ(１)の適用領域(８)に開口装置(２)を装着するように配置されている、装置において、
この装置は、更に、当接体(１１３)と、ナイフ装置(１１２)とを具備し、
前記少なくとも１つの支持部材(１０１)は、前記取り出し位置で、支持部材と当接体との間に配設されている、互いに相互接続された複数の未完成の開口装置のウェブ(１２)と係合するように、前記当接体(１１３)に向かって相対的に移動するように配設されており、又、
前記ナイフ装置(１１２)は、前記支持部材(１０１)が前記ウェブ(１２)と係合している間に、開口装置(２)を切離するように、支持部材(１０１)及び当接体(１１３)と共働するように配設されていることを特徴とする装置。
［２］  前記少なくとも１つの支持部材(１０１)は、前記取り出し位置で、前記互いに相互接続された複数の未完成の開口装置のウェブ(１２)とパンチ係合することにより、前記開口装置(２)を形成するように配設されている［１］に記載された装置。
［３］  前記ナイフ装置(１１２)は、前記当接体(１１３)に配設されている［１］又は［２］に記載された装置。
［４］  前記ナイフ装置(１１２)は、前記支持部材(１０１)に配設されている［１］乃至［３］のいずれか１項に記載された装置。
［５］  前記装着ユニット(１００)は、回転可能に配置され、又、前記少なくとも１つの支持部材(１０１)は、装着ユニット(１００)の回転により前記取り出し位置と装着位置との間で移動可能である［１］乃至［４］のいずれか１項に記載された装置。
［６］  加熱位置に配設された第１の加熱ユニット(１０７)を更に具備し、又、前記少なくとも１つの支持部材(１０１)は、前記取り出し位置から装着位置への移動の間に、前記加熱位置を通過し、そして、前記第１の加熱ユニット(１０７)は、加熱により、開口装置(２)の接着層(１７)の活性化をするように配設されている、［１］乃至［５］のいずれか１項に記載された装置。
［７］  前記第１の加熱ユニット(１０７)は、接触加熱により前記接着層(１７)を活性化するように配設される係合面(１０８)を有している［６］に記載された装置。
［８］  前記係合面は、所定の形状に形成されている［７］に記載された装置。
［９］  前記柔軟性のあるパッケージ(１)の適用領域(８)を予加熱するための第２の加熱ユニット(１０９)を具備している［１］乃至［８］のいずれか１項に記載された装置。
［１０］  前記第２の加熱ユニット(１０９)は、放射熱により前記適用領域(８)を予加熱するように配設されている［９］に記載された装置。
［１１］  前記少なくとも１つの支持部材(１０１)は、開口装置(２)の突出部(１３)を受け入れるように配設された凹所(１０５)を備えている支持面(１０４)を有している［１］乃至［１０］のいずれか１項に記載された装置。
［１２］  前記凹所(１０５)内に、第１の位置と、ピンが、凹所(１０５)の中に受け入れられた突出部(１３)と締り係合する第２の位置との間で移動可能に配設されたピン(１１０)を更に具備している［１１］に記載された装置。
［１３］  再封止可能な開口装置(２)を柔軟性のあるパッケージ(１)に装着するための方法であって、
互いに相互接続された複数の未完成の開口装置のウェブ(１２)を準備することと、
支持部材と当接体との間に配設されている、互いに相互接続された複数の未完成の開口装置のウェブ(１２)と係合するように、前記当接体(１１３)に向かう装着ユニット(１００)の支持部材(１０１)の相対的な移動により開口装置(２)を切除し取り出すことと、
前記切除された開口装置(２)を柔軟性のあるパッケージ(１)の適用領域(８)に装着することとを具備し、
前記開口装置(２)は、ウェブ(１２)との係合の間に、前記支持部材(１０１)と当接体(１１３)と共働するナイフ装置(１１２)により切除される、方法。
［１４］  前記開口装置(２)は、打ち抜き係合により形成される［１３］に記載された方法。
［１５］  前記開口装置(２)の接着層(１７)を、開口装置(２)の装着の前に接触加熱することにより活性化させることを更に具備している［１３］または［１４］に記載された方法。
［１６］  前記接着層(１７)の活性化は、接着層(１７)を第１の加熱ユニット(１０７)の、成形された係合面(１０８)と係合させることを含んでいる［１５］に記載された方法。
［１７］  開口装置(２)の装着の前に、パッケージ(１)の適用領域(８)を予加熱することを更に具備する［１４］乃至［１６］のいずれか１項に記載された方法。
【図１】
0006297681.tif 000002
【図２ａ】
0006297681.tif 000003
【図２ｂ】
0006297681.tif 000004
【図２ｃ】
0006297681.tif 000005
【図３】
0006297681.tif 000006
【図４】
0006297681.tif 000007
【図５ａ】
0006297681.tif 000008
【図５ｂ】
0006297681.tif 000009
【図５ｃ】
0006297681.tif 000010
【図６ａ】
0006297681.tif 000011
【図６ｂ】
0006297681.tif 000012
【図６ｃ】
0006297681.tif 000013
【図６ｄ】
0006297681.tif 000014
【図６ｅ】
0006297681.tif 000015
【図６ｆ】
0006297681.tif 000016
【図６ｇ】
0006297681.tif 000017
【図６ｈ】
0006297681.tif 000018
【図６ｉ】
0006297681.tif 000019
【図６ｊ】
0006297681.tif 000020
【図６ｋ】
0006297681.tif 000021
【図６ｌ】
0006297681.tif 000022